(57)【要約】【課題】発泡樹脂製の鉢内台座において、簡便な作業で花卉のポットを植木鉢に安定的に保持させることができ、また、水はけや通気性が良いものとする。【解決手段】鉢内台座１は、逆円錐台形状の台部２と、台部２の上周縁２８に沿って所定の間隔を空けて立設された複数の支柱３と、を備える。台部２は、底面２０と、複数の花卉のポットが夫々載置される複数の載置部２１を有する上面２２と、底面２０と上面２２とを繋ぐ側周面２３と、を有する。側周面２３のうち、支柱３が設けられていない上周縁２８の下方領域は、内方に凹むように形成された縦溝部２９を有する。この構成によれば、縦溝部２９が設けられているので、鉢内台座１の外側面と植木鉢との間に、それらが直接的に接触しない隙間が形成され、この隙間から鉢内台座に注がれた水を排水することができるので、水はけや通気性を良くすることができる。【選択図】図１
2020025488.tif 000002
【特許請求の範囲】
【請求項１】
花卉を植木鉢内に定植させるために用いられる発泡樹脂製の鉢内台座であって、
逆円錐台形状の台部と、前記台部の上周縁に沿って所定の間隔を空けて立設された複数の支柱と、を備え、
前記台部は、底面と、複数の花卉のポットが夫々載置される複数の載置部を有する上面と、前記底面と前記上面とを繋ぐ側周面と、を有し、
前記側周面のうち、前記支柱が設けられていない上周縁の下方領域は、前記上面から前記底面に亘って内方に凹むように形成された縦溝部を有することを特徴とする鉢内台座。
【請求項２】
前記載置部は、前記上面から前記底面に貫通するように形成された複数の排水口を有し、
前記底面は、複数の前記排水口の底面側の開口を連通するように凹状に形成された底面排水溝を有することを特徴とする請求項１に記載の鉢内台座。
【請求項３】
前記底面排水溝は、前記台部の側周面方向に連通した側方開口を有し、該側方開口の少なくとも一部が前記縦溝部と重複又は隣接していることを特徴とする請求項２に記載の鉢内台座。
【請求項４】
前記上面は、前記排水口の上面側の開口の周囲に凹状に形成された上面排水溝を有し、
前記上面排水溝の両縁を成す凸状部に、花卉のポットが載置されることを特徴とする請求項２又は請求項３に記載の鉢内台座。
【請求項５】
前記上面排水溝と前記排水口との境界がＣカットされていることを特徴とする請求項４に記載の鉢内台座。
【請求項６】
複数の前記載置部は、前記底面からの高さが高い上載置部と、前記上載置部より前記底面からの高さが低い下載置部と、を少なくとも含むことを特徴とする請求項１乃至請求項５のいずれか一項に記載の鉢内台座。
【請求項７】
前記台部は、前記上載置部と前記下載置部とを繋ぐ立設面を有し、
前記立設面は、緩やかな円弧状に湾曲しており、前記下載置部に載置される花卉のポットの側面を支持することを特徴とする請求項６に記載の鉢内台座。
【請求項８】
前記台部の側周面のうち、前記支柱の設けられている周縁から前記底面にかけて、前記支柱の内側面の形状に対応するように形成された凹部を有することを特徴とする請求項１乃至請求項７のいずれか一項に記載の鉢内台座。
【請求項９】
前記台部は、前記底面から前記側周面にかけて、前記排水口を避ける位置に形成された切り込み部を有することを特徴とする請求項２乃至請求項５のいずれか一項に記載の鉢内台座。
【発明の詳細な説明】
【技術分野】
【０００１】
本発明は、胡蝶蘭等の花卉を植木鉢内に定植させるために用いられる発泡樹脂製の鉢内台座に関する。
【背景技術】
【０００２】
従来から、胡蝶蘭等の花卉を１つの植木鉢内に複数個、定植させる際には、植木鉢の内部に、砕いた発泡スチロール片を敷き詰め、花卉のポットを所定位置に配置し、植木鉢とポットとの間に更に発泡スチロール片を立体的に敷き詰めることで、花卉を植木鉢内に保持させる工法が用いられている。
【０００３】
この従来工法において、花卉のポットを植木鉢に安定的に保持させ、且つ定植の仕上がりが美しく見えるようにするには、植木鉢内に適切に発泡スチロール片を敷き詰める必要がある。しかし、花卉の花や葉を傷めることなく上記の作業を行うことは容易でなく、熟練した作業者であっても、かなりの時間と労力を要するものであった。
【０００４】
そこで、花卉のポットを植木鉢内に固定するための発泡樹脂製の固定具が知られている（例えば、特許文献１参照）。この特許文献１に記載の固定具は、円形の底面から等間隔で立設された複数の支柱を有し、支柱の内周側面を中央頂部から分岐する２つの円弧面で形成し、対向する支柱の円弧面と、底面中央に立設した円錐型突子の側面との間でポットを挟み込むことで、ポットを保持する。
【先行技術文献】
【特許文献】
【０００５】
【特許文献１】実用新案登録第３１１７６４７号
【発明の概要】
【発明が解決しようとする課題】
【０００６】
上記特許文献１に記載の固定具は、その底面に、ポットに対応するように複数の排水口が設けられている。しかしながら、固定具自体は、底面から支柱の外周面が円錐形に形成され、この外側面を植木鉢の内周面に当接させることで植木鉢内に固定されるので、固定具の外側面と植木鉢の内周面とは密着しており、底面の排水口以外に隙間が無い。そのため、植木鉢内に発泡スチロール片を敷き詰める従来工法に比べて、著しく水はけや通気性が悪くなる。代表的な花卉である胡蝶蘭は、水はけが悪いと根腐れを起こし易く、観賞できる期間が短くなってしまう虞がある。
【０００７】
本発明は、上記課題を解決するためになされたものであり、簡便な作業で花卉のポットを植木鉢に安定的に保持させることができ、また、水はけや通気性が良い発泡樹脂製の鉢内台座を提供することを目的とする。
【課題を解決するための手段】
【０００８】
上記目的を達成するために、本発明は、花卉を植木鉢内に定植させるために用いられる発泡樹脂製の鉢内台座であって、逆円錐台形状の台部と、前記台部の上周縁に沿って所定の間隔を空けて立設された複数の支柱と、を備え、前記台部は、底面と、複数の花卉のポットが夫々載置される複数の載置部を有する上面と、前記底面と前記上面とを繋ぐ側周面と、を有し、前記側周面のうち、前記支柱が設けられていない上周縁の下方領域は、前記上面から前記底面に亘って内方に凹むように形成された縦溝部を有することを特徴とする。
【０００９】
上記鉢内台座において、前記載置部は、前記上面から前記底面に貫通するように形成された複数の排水口を有し、前記底面は、複数の前記排水口の底面側の開口を連通するように凹状に形成された底面排水溝を有する
【００１０】
上記鉢内台座において、前記底面排水溝は、前記台部の側周面方向に連通した側方開口を有し、該側方開口の少なくとも一部が前記縦溝部と重複又は隣接していることが好ましい。
【００１１】
上記鉢内台座において、前記上面は、前記排水口の上面側の開口の周囲に凹状に形成された上面排水溝を有し、前記上面排水溝の両縁を成す凸状部に、花卉のポットが載置されるこが好ましい。
【００１２】
上記鉢内台座において、前記上面排水溝と前記排水口との境界がＣカットされていることが好ましい。
【００１３】
上記鉢内台座において、複数の前記載置部は、前記底面からの高さが高い上載置部と、前記上載置部より前記底面からの高さが低い下載置部と、を少なくとも含むことが好ましい。
【００１４】
上記鉢内台座において、前記台部は、前記上載置部と前記下載置部とを繋ぐ立設面を有し、前記立設面は、緩やかな円弧状に湾曲しており、前記下載置部に載置される花卉のポットの側面を支持することが好ましい。
【００１５】
上記鉢内台座において、前記台部の側周面のうち、前記支柱の設けられている周縁から前記底面にかけて、前記支柱の内側面の形状に対応するように形成された凹部を有することが好ましい。
【００１６】
上記鉢内台座において、前記台部は、前記底部から前記側周面にかけて、前記排水口を避ける位置に形成された切り込み部を有することが好ましい。
【発明の効果】
【００１７】
本発明の鉢内台座によれば、台部の側周面に縦溝部が設けられているので、鉢内台座の外側面と植木鉢との間に、それらが直接的に接触しない隙間が形成され、この隙間から鉢内台座に注がれた水を排水することができるので、水はけや通気性を良くすることができる。
【図面の簡単な説明】
【００１８】
【図１】（ａ）は本発明の第１の実施形態に係る鉢内台座の正面及び上面を主とした斜視図、（ｂ）は背面及び底面を主とする斜視図。
【図２】（ａ）（ｂ）は上記鉢内台座の使用状態を示す斜視図。
【図３】（ａ）は上記鉢内台座の平面図、（ｂ）は底面図。
【図４】（ａ）は上記鉢内台座の正面図、（ｂ）は背面図、（ｃ）は右側面図、（ｄ）は図３（ａ）のＡ−Ａ線断面図、（ｅ）は図３（ａ）のＢ−Ｂ線断面図。
【図５】（ａ）乃至（ｆ）は従来工程で胡蝶蘭を定植する手順を説明するための概略斜視図。
【図６】（ａ）乃至（ｃ）は本実施形態の鉢内台座を使用して胡蝶蘭を定植する手順を説明するための概略斜視図。
【図７】（ａ）は本発明の第２の実施形態に係る鉢内台座の正面及び上面を主とした斜視図、（ｂ）は背面及び底面を主とする斜視図。
【図８】（ａ）は上記鉢内台座の平面図、（ｂ）は底面図、（ｃ）は右側面図、（ｄ）は（ａ）のＡ−Ａ線断面図、（ｅ）は正面図、（ｆ）は（ａ）のＢ−Ｂ線断面図。
【図９】（ａ）は本発明の第３の実施形態に係る鉢内台座の背面及び底面を主とした斜視図、（ｂ）は正面図、（ｂ）は右側面図。
【発明を実施するための形態】
【００１９】
本発明の第１の実施形態に係る鉢内台座について、図１乃至図６を参照して説明する。図１（ａ）（ｂ）に示すように、本実施形態の鉢内台座１は、花卉を植木鉢内に定植させる際に用いられるものであり、台部２と、台部２の上面から立設された複数の支柱３ａ、３ｂ、３ｃ（総称して支柱３）と、を備える。台部２及び支柱３は、発泡樹脂により一体的に成形されている。鉢内台座１を構成する発泡樹脂は、例えば、ポリスチレン、ポリエチレン、ポリプロピレン等のポリオレフィン系樹脂といった発泡合成樹脂であり、本実施形態では、発泡ポリスチレン（ＥＰＳ(Ｅｘｐａｎｄｅｄ  Ｐｏｌｙ‐Ｓｔｙｒｅｎｅ)）が好適に用いられる。
【００２０】
台部２は、略円形の底面２０と、複数の花卉のポットが夫々載置される複数の載置部２１を有する上面２２と、底面２０と上面２２とを繋ぐ側周面２３と、を有する。また、台部２は、底面２０の面積が最も小さく、上面２２（上方）へ向かう程に水平断面が大きくなる逆円錐台形状となるように形成されている。図２（ａ）（ｂ）に示すように、鉢内台座１は、植木鉢１０に収められ、台部２には、３つの載置部２１ａ、２１ｂ、２１ｃが設けられており、夫々に花卉のポット１１が１個ずつ配置される。
【００２１】
図３（ａ）（ｂ）及び図４（ａ）乃至（ｅ）に示すように、鉢内台座１は、平面視及び底面視において左右対称形状である。載置部２１は、底面２０からの高さが高い上載置部２１ａと、上載置部２１ａより底面２０からの高さが低い下載置部２１ｂ、２１ｃと、を少なくとも含む（図１（ａ）も参照）。上載置部２１ａと下載置部２１ｂ、２１ｃとは、立設面２４により繋がれている。立設面２４は、一方の下載置部２１ｂと上載置部２１ａとを繋ぐ立設面２４ｂと、他方の下載置部２１ｃと上載置部２１ａとを繋ぐ立設面２４ｃと、を含む。立設面２４ｂ、２４ｃは、鉛直な面よりも僅かに傾斜しており、また、夫々緩やかな円弧状に内方に湾曲しており、下載置部２１ｂ、２１ｃに夫々配置される花卉のポットの側面を支持する。つまり、下載置部２１ｂ、２１ｃに夫々配置されるポットは、後に詳述する支柱３だけでなく、立設面２４ｂ、２４ｃにより面的に安定的に支持される。また、下載置部２１ｂ、２１ｃに２つのポットが配置されると、これら２つのポットの側周面で、上載置部２１ａに配置されるポットの側面を支持することができる。
【００２２】
台部２は、上面２２（上載置部２１ａ、下載置部２１ｂ、２１ｃ）から底面２０に貫通するように形成された複数の排水口２５ａ、２５ｂ、２５ｃ、２５ｄを有する（図４（ｄ）（ｅ）も参照）。本実施形態では、上載置部２１ａの略中心から鉛直下に貫通する排水口２５ａと、下載置部２１ｂ、２１ｃにおいて、上面２２の中心Ｐを囲う３箇所から鉛直下に貫通する排水口２５ｂ、２５ｃ、２５ｄと、が設けられている。上載置部２１ａの排水口２５ａと下載置部２１ｂ、２２ｃの排水口２５ｃとは、中心Ｐを通る直線上に設けられ、下載置部２１ｂの排水口２５ｂと下載置部２１ｃの排水口２５ｄとは、上記直線と中心Ｐで直交する直線上に設けられえている（図３（ａ）参照）。また、上載置部２１ａの排水口２５ａは、下載置部２１ｂ、２１ｃの排水口２５ｂ、２５ｃ、２５ｄよりも、上面の中心Ｐから離れた位置に形成されている。排水口２５ａ〜２５ｄは、上面側の開口が底面側の開口よりも口径が大きいテーパ形状となっており（図４（ｄ）（ｅ）参照）、載置部２１に注がれた水が滑らかに底面２０側へ排出される。
【００２３】
上面２２は、排水口２５ａ〜２５ｄの上面側の開口の周囲に凹状に形成された上面排水溝２６ａ、２６ｂを有する（図１（ａ）、図３（ａ）参照）。上面排水溝２６ａ、２６ｂは、上面２２の中心Ｐを囲うように円環状に形成されており、上載置部２１ａの上面排水溝２６ａは、排水口２５ａから左右方向へ円弧状に延び、延伸側の端部が、立設面２４ｂ、２４ｃに連通している。下載置部２１ｂ、２１ｃの上面排水溝２６ｂは、排水口２５ｃから左右方向へ円弧状に延び、排水口２５ｃと排水口２５ｂ、２５ｄとを連通し、延伸側の端部が立設面２４ｂ、２４ｃで打ち止めとなる。そのため、上載置部２１ａに注がれた水は、排水口２５ａだけでなく、上載置部２１ａの上面排水溝２６ａの端部から立設面２４ｂ、２４ｃを流下し、下載置部２１ｂ、２１ｃの上面排水溝２６ｂを流れて、排水口２５ｂ、２５ｃ、２５ｄからも排出される。
【００２４】
上面排水溝２６ａ、２６ｂの溝幅は１０〜２０ｍｍ程度、深さは３〜８ｍｍ程度であり、上面排水溝２６ａ、２６ｂの両縁を成す凸状部（各載置部２１の最上面）に、花卉のポットが載置される。そのため、載置部２１に花卉のポットが配置されたとき、ポットの底面は、排水口２５ａ〜２５ｄの上面側の開口とは直接的には接触しないので、ポットによって排水口２５ａ〜２５ｄが塞がれることもなく、排水性能を維持することができる。また、ポットの底面の排水口から排出された水は、上面排水溝２６ａ、２６ｂを通じて、排水口２５ａ〜２５ｄから排水されるので、ポットの底面の排水口と排水口２５ａ〜２５ｄとの位置が一致していなくてもよく、定植の作業効率を向上させることができる。
【００２５】
底面２０は、排水口２５ａ〜２５ｄの底面側の開口を連通するように凹状に形成された底面排水溝２７を有する。本実施形態において、排水口２５ａ〜２５ｄは、上面２２の中心Ｐを通る直交する２直線上に設けられているので、底面排水溝２７が、中心Ｐを中心とする十字形状の凹溝として形成されることで、各排水口２５ａ〜２５ｄを連通させることができる。底面排水溝２７の中央部は、やや広い排水空間が設けられており、排水口２５ａ〜２５ｄから底面排水溝２７に注がれた水は、植木鉢の底面の中央に設けられた排水口（不図示）から外部に排水される。
【００２６】
底面排水溝２７の溝幅は１０〜２０ｍｍ程度、深さは８〜２０ｍｍ程度であり、底面排水溝２７の両縁を成す凸状部（底面２０の最下面）は、植木鉢の内底面に対向し、植木鉢の内面形状によっては、植木鉢の内底面に接する。このとき、排水口２５ａ〜２５ｄの底面側の開口は、植木鉢の内底とは直接的には接触しないので、植木鉢の内底面によって排水口２５ａ〜２５ｄが塞がれることもなく、排水性能を維持することができる。
【００２７】
支柱３は、台部２の上周縁２８に沿って所定の間隔を空けて立設されている。本実施形態では、３本の支柱３ａ〜３ｃが略定間隔で設けられている。１本の支柱３ｃは、他の２本の支柱３ａ、３ｂよりも低くなるように形成されている。平面視において、略円形の上面２２を時計に例えると、支柱３ａが１０時の位置、支柱３ｂが２時の位置、支柱３ｃが６時の位置に設けられている。
【００２８】
各支柱３ａ〜３ｃは、いずれも水平断面が略５角形となるように形成されており、夫々上面３０ａ、３０ｂ、３０ｃと、夫々５つの側面と、を有する。支柱３ａの側面は、外側面３１ａ、鉛直面３２ａ、３３ａ、保持面３４ａ、３５ａにより構成され、支柱３ｂの側面は、外側面３１ｂ、鉛直面３２ｂ、３３ｂ、保持面３４ｂ、３５ｂにより構成され、支柱３ｃの側面は、外側面３１ｃ、鉛直面３２ｃ、３３ｃ、保持面３４ｃ、３５ｃにより構成される。隣り合う各側面の稜線は、滑らかな丸みを帯びるように面取りされている。
【００２９】
外側面３１ａ、３１ｂ、３１ｃは、台部２の側周面２３と連続する逆円錐台の側面の一部に相当する。支柱３ａ、３ｂは、互いに左右対称形状である。保持面３４ａ、３５ａ、保持面３４ｂ、３５ｂ、保持面３４ｃ、３５ｃは、外側面３１ａ、３１ｂ、３１ｃと夫々対峙する位置に設けられ、各２面がＶ字状のペアとなっている。また、支柱３ａの保持面３５ａと支柱３ｂの保持面３４ｂとが向かい合い、夫々緩やかな円弧状に内方に湾曲しており、上載置部２１ａに配置される花卉のポットの側面を支持する。また、支柱３ａの保持面３４ａと支柱３ｃの保持面３４ｃとが向かい合い、下載置部２１ｂに配置される花卉のポットの側面を支持する。同様に、支柱３ｂの保持面３５ｂと支柱３ｃの保持面３５ｃとが向かい合い、下載置部２１ｃに配置される花卉のポットの側面を支持する。支柱３ａの保持面３４ａは、立設面２４ｂと滑らかに連続する面として形成され、支柱３ｂの保持面３５ｂもまた、立設面２４ｃと滑らかに連続する面として形成される。
【００３０】
台部２の側周面２３のうち、支柱３が設けられていない上周縁２８の下方領域は、上面２２から底面２０に亘って内方に凹むように形成された縦溝部２９を有する。本実施形態では、台部２の側周面２３は、支柱３が設けられていない３領域に、３つの縦溝部２９が設けられている。縦溝部２９は、側周面２３の全周のうち１／６以上の範囲に亘って形成されていることが好ましい。
【００３１】
本実施形態の鉢内台座１は、側周面２３に縦溝部２９が設けられているので、鉢内台座１の外側面と植木鉢との間に、それらが直接的に接触しない隙間が形成され、この隙間から鉢内台座１に注がれた水を排水することができる。すなわち、鉢内台座１は、排水口２５ａ〜２５ｄだけでなく、縦溝部２９からも排水することができるので、水はけや通気性を良くすることができる。
【００３２】
また、底面排水溝２７は、台部２の側周面２３方向に連通した側方開口２７ａ〜２７ｄを有し、これら側方開口２７ａ〜２７ｄの少なくとも一部が、縦溝部２９と重複又は隣接している。本実施形態においては、排水口２５ａの外方に位置する側方開口２７ａは、縦溝部２９と重複する位置にあり、排水口２５ｂ、２５ｄの外方に位置する側方開口２７ｂ、２７ｄは、縦溝部２９と隣接する位置にある。従って、縦溝部２９から排水された水は、底面排水溝２７を通じて、植木鉢の底面に設けられた排水口から外部に排水される。
【００３３】
ここで、砕いた発泡スチロール片を用いた胡蝶蘭の定植における従来工法を、図５を参照して説明する。図５（ａ）に示すように、作業者は、適当な大きさの発泡スチロール片を植木鉢内の所定位置に敷き詰め、図５（ｂ）に示すように、１つ目の胡蝶蘭のポット１１を植木鉢１０内に配置する。次に、図５（ｃ）に示すように、１つ目のポット１１に留意しながら、２つ目のポット１１を配置する。そして、図５（ｄ）に示すように、発泡スチロール片の位置を調整しながら、３つ目のポット１１を配置する。ここで、図５（ｅ）に示すように、必要に応じて、発泡スチロール片を所望のサイズにカットして、図５（ｆ）に示すように、適切な位置に配置して、各ポット１１を植木鉢１０内に安定的に保持させる。また、従来工法では、花卉の花や葉を傷めることなく上記の作業を行う必要があり、熟練した作業者であっても、かなりの時間と労力を要するものであった。
【００３４】
一方、本実施形態の鉢内台座１を用いた胡蝶蘭の定植工法を、図６を参照して説明する。図６（ａ）に示すように、植木鉢１０内に鉢内台座１を配置し、図６（ｂ）（ｃ）に示すように、順次、胡蝶蘭のポット１１を鉢内台座１の所定位置に配置していけばよい。従って、簡便な作業で胡蝶蘭のポット１１を植木鉢１０に安定的に保持させることができる。
【００３５】
また、一般的な３本立ての胡蝶蘭では、中央の胡蝶蘭の高さが、左右の胡蝶蘭に比べて高くなるように定植することで、立体感があり見栄えの良さを演出している。本実施形態の鉢内台座１では、１つの上載置部２１ａと２つの下載置部２１ｂとを有する構成になっているので、従来工法のように、発泡スチロール片を立体的に敷き詰める必要もなく、簡易に、胡蝶蘭のポット１１を植木鉢１０に立体感のある定植をすることができる。
【００３６】
本発明の第２の実施形態に係る鉢内台座について、図７及び図８を参照して説明する。図７（ａ）（ｂ）及び図８（ａ）乃至（ｆ）に示すように、本実施形態の鉢内台座１では、上面排水溝２６ａ、２６ｂと排水口２５ａ〜２５ｄとの境界がＣカットされている（図７（ａ）、図８（ａ）（ｄ）（ｆ）参照）。上記実施形態の上面排水溝２６ａ、２６ｂは、概ね水平面だったので、一定程度の水が上面排水溝２６ａ、２６ｂに貯まることがあった。一方、本実施形態によれば、上面排水溝２６ａ、２６ｂ上に注がれた水が、Ｃカット面から排水口２５ａ〜２５ｄに滑らかに流れるので、より効果的に底面２０側へ排出される。
【００３７】
また、本実施形態の鉢内台座１は、台部２の側周面２３のうち、支柱３の設けられている周縁から底面にかけて、支柱３の内側面の形状に対応するように形成された凹部４ａ、４ｂ、４ｃを有する。ここで言う支柱３の内側面とは、支柱３ａにおいては、保持面３４ａ、３５ａと、鉛直面３２ａ、３３ａのうち保持面３４ａ、３５ａと隣接する一部が相当し、支柱３ｂにおいては、保持面３４ｂ、３５ｂと、鉛直面３２ｂ、３３ｂのうち保持面３４ｂ、３５ｂと隣接する一部が相当し、支柱３ｃにおいては、保持面３４ｃ、３５ｃと、鉛直面３２ｃ、３３ｃのうち保持面３４ｃ、３５ｃと隣接する一部が相当する。
【００３８】
鉢内台座１は、台部２と支柱３とが発泡樹脂により一体成形されており、支柱３の先端は、上方へ向かう程に大きくなっているので、非使用時には嵩張り、特に、多数の鉢内台座１を保管、運送等する際には、大きな容積が必要となる。本実施形態では、１つの鉢内台座１の上に、同じ向きで鉢内台座１を置くと、下の鉢内台座１の支柱３ａ、３ｂ、３ｃが、上の鉢内台座１に設けられた凹部４ａ、４ｂ、４ｃに夫々嵌まり込み、いわゆるスタッキングされた状態となる。従って、鉢内台座１の非使用時に、小さな容積で多数の鉢内台座１を保管、運送等することができる。
【００３９】
本発明の第３の実施形態に係る鉢内台座について、図９を参照して説明する。図９（ａ）乃至（ｃ）に示すように、本実施形態の鉢内台座１は、台部２において、底面２０から側周面２３にかけて、排水口２５ａ〜２５ｄを避ける位置に形成された切り込み部５を有する。切り込み部５は、底面２０側から視て十文字に、台部２の高さの半分以上に至る深さに切り込まれている。
【００４０】
鉢内台座１は、上述したように、非使用時だけでなく、廃棄時にも嵩張ることが問題となる。ここで、本実施形態の鉢内台座１は、切り込み部５に沿って分解することができるので、廃棄時の容積を小さくすることができる。
【００４１】
本発明は、上記実施形態に限らず、種々の変形が可能である。例えば、台部２の上面２２（載置部２１）の一部には、蒸気孔（コアベント）を無くし、発泡スチロールを構成する粒子と粒子との間に、岩おこし状の間隙を意図的に設けてもよい。こうすれば、鉢内台座１に注がれた水が、岩おこし状の間隙を伝わって縦溝部２９に流れ、縦溝部２９から底面２０側へ排水することができ、水はけ及び通気性を更に向上させることができる。
【００４２】
また、上記実施形態では、３つの載置部２１ａ〜２１ｃを有し、３つの花卉を定植できる３本立ての胡蝶蘭に対応する構成を示したが、４つ以上の載置部を有するものであってもよい。例えば、５本立ての鉢内台座であれば、３本立ての鉢内台座に比べて、台部が一回り大きく、５本の支柱が設けられ、４つ以上の載置部が設けられる。また、本実施形態では、１つの上載置部２１ａ及び高さが等しい２つの下載置部２１ｂ、２１ｃを有する構成を示したが、２つの上載置部と１つの下載置部を有する構成（不図示）であってもよく、また、上載置部、中載置部、下載置部といったような、高さが異なる３種の載置部を有する構成（不図示）であってもよい。例えば、５本立ての鉢内台座であれば、背面側に位置する載置部を上載置部とし、その上載置部の隣り合う位置の載置部を中載置部、正面側に位置する載置部を下載置部とすれば、立体感があり胡蝶蘭の見栄えを良くすることができる。
【符号の説明】
【００４３】
１    鉢内台座
２    台部
２０    底面
２１    載置部
２１ａ    高載置部（載置部）
２１ｂ、２１ｃ    低載置部（載置部）
２２    上面
２３    側周面
２４    立設面
２４ｂ、２４ｃ    立設面
２５ａ、２５ｂ、２５ｃ、２５ｄ    排水口
２６ａ、２６ｂ    上面排水溝
２７    底面排水溝
２７ａ、２７ｂ、２７ｃ、２７ｄ    側方開口
２８    上周縁
２９    縦溝部
３    支柱
３ａ、３ｂ、３ｃ    支柱
４ａ、４ｂ、４ｃ    凹部
５    切り込み部
【図１】
2020025488.tif 000003
【図２】
2020025488.tif 000004
【図３】
2020025488.tif 000005
【図４】
2020025488.tif 000006
【図５】
2020025488.tif 000007
【図６】
2020025488.tif 000008
【図７】
2020025488.tif 000009
【図８】
2020025488.tif 000010
【図９】
2020025488.tif 000011